(57)【要約】【課題】フィルターにおけるマットの保水状態に応じて給水装置によるフィルターへの給水の開始と停止を制御することにより、フィルターへの給水を過不足なく行わせて、給水不足と無駄水の発生を回避することを可能な補助冷却装置を提供する。【解決手段】温度センサ２１，４１によってフィルター１２を通過する前の空気と通過した後の空気の温度差を検出し、その温度差を設定値と比較することで、フィルター１２におけるマットの保水状態を簡素に判定できる。フィルター１２の保水状態に応じて給水装置１１によるフィルター１２への給水の開始と停止を制御することにより、保水状態が良好な場合には給水を行わず、保水状態が低下した場合に給水を行うことで、フィルター１２における給水不足と無駄水の発生を回避することをできる。【選択図】図１
2010236844.tif 000002
【特許請求の範囲】
【請求項１】
冷凍サイクルの室外機の熱交換器の放熱部に対向して配置される通風性を有するフィルターと、該フィルターに水を供給する給水装置とを備え、前記放熱部に吸い込まれる空気が前記フィルターを通過する際に前記フィルターに供給された水により冷却されるようにした補助冷却装置であって、
前記フィルターの保水状態を検出し、その保水状態に応じて前記給水装置による給水を制御することを特徴とする補助冷却装置。
【請求項２】
前記フィルターの前記保水状態は、前記フィルターを通過する空気の当該通過前後の温度差に基づいて検出されることを特徴とする請求項１記載の補助冷却装置。
【請求項３】
前記温度差が設定値以上である場合に前記給水装置の給水を停止させ、前記温度差が前記設定値未満である場合に前記給水装置の給水を開始させることを特徴とする請求項２記載の補助冷却装置。
【請求項４】
前記冷凍サイクルにおけるコンプレッサーと前記熱交換器の間の高圧配管の温度を検出するセンサを備え、該センサが、前記コンプレッサーの近傍に配置されているとともに、その検出値が設定値以上の場合には、前記保水状態が十分でないことを条件に前記給水装置が給水を行い、当該検出値が前記設定値未満の場合には、前記保水状態に関わらず前記給水装置が給水を停止することを特徴とする請求項１〜３のいずれか一項記載の補助冷却装置。
【請求項５】
前記コンプレッサーが電磁開閉器を介して電源に接続されており、前記電磁開閉器と前記コンプレッサーの間の通電を検知した場合には、前記保水状態が十分でないことを条件に前記給水装置が給水を行い、前記電磁開閉器と前記コンプレッサーの間の前記通電を検知しない場合には、前記保水状態に関わらず前記給水装置が給水を停止することを特徴とする請求項１〜３のいずれか一項記載の補助冷却装置。
【請求項６】
前記冷凍サイクルのコンプレッサーが室外機の外に配置され、前記放熱部に通風するためのファンは前記コンプレッサーとは別の電源に接続されており、前記ファンへの通電を検知した場合には、前記保水状態が十分でないことを条件に前記給水装置が給水を行い、前記ファンへの通電を検知しない場合には、前記保水状態に関わらず前記給水装置が給水を停止することを特徴とする請求項１〜３のいずれか一項記載の補助冷却装置。
【請求項７】
前記フィルターの空気入口手前の外気温を検出する温度センサを備え、該温度センサの検出値が設定値以上である場合には前記給水装置が給水を行い、前記温度センサの検出値が前記設定値未満である場合には他の条件に関わらず前記給水装置が給水を停止することを特徴とする請求項４〜６のいずれか一項記載の補助冷却装置。
【請求項８】
前記温度センサは、前記フィルターと前記室外機の間に配置されていることを特徴とする請求項７に記載の補助冷却装置。
【請求項９】
前記給水装置による給水量を前記温度センサの検出値に応じて変化させることを特徴とする請求項７又は８に記載の補助冷却装置。
【発明の詳細な説明】
【技術分野】
【０００１】
本発明は、冷凍サイクルの室外機に備わる熱交換器の放熱部を間接冷却する補助冷却装置に関し、特に、熱交換器の放熱部に吸い込まれる空気を通過させるフィルターへの給水制御を適切に行うことができる補助冷却装置に関する。
【背景技術】
【０００２】
空調・冷凍・冷蔵装置等の冷凍サイクルに用いられる室外機の熱交換器（コンデンサー）は、冷媒を液化するために冷却する必要があり、その効率を上げるために、放熱部を間接的に冷却する補助冷却装置が用いられる。
【０００３】
図１４は、従来の補助冷却装置を付設した冷凍サイクルの概略図である。この冷凍サイクル９は、コンプレッサーのための電磁開閉器を備えていない冷凍サイクルの例であり、コンプレッサー（圧縮機）２、エバポレーター（蒸発器）４、エクスパンションバルブ（膨張弁）６、コンデンサー（凝縮器）７を冷媒管で接続して構成されている。点線で囲まれた１０の部分が、室外機としての構成部分である。コンプレッサー２は、制御回路３を介して電源１と接続されている。そして、制御回路３は配線を介してファン８と接続されている。
【０００４】
補助冷却装置１６ａは、給水装置１１、フィルター１２、支持枠１３等で構成されている。給水装置１１は、フィルター１２へ給水する装置であり、電源１に配線接続されている。フィルター１２は通風性のあるマット状のものである。コンプレッサー２とコンデンサー７の間の高圧配管１９には、センサ１４が配設されている。センサ１４はコンプレッサー２の出口側における冷媒の圧力又は温度を検出する。
【０００５】
センサ１４が設定値以上の圧力又は温度を感知しているときには、給水装置１１の制御部は、冷凍サイクル９が稼働中であるとみなし、給水装置１１を制御してフィルター１２への給水を行わせる。そして、ファン８の回転により発生する引き込みの空気流は、濡れたフィルター１２を通過する際にフィルター１２を濡らしている水が気化されることで冷却され、コンデンサー７へ流れ込む。これにより、コンデンサー７が冷却される。
【０００６】
図１５は、コンプレッサーのための電磁開閉器２２を備えた冷凍サイクルの例であり、図１４に示す冷凍サイクルが備える構成要素と同等の要素には同じ符号を付している。電磁開閉器２２は、コンプレッサー２と給水装置１１とに接続されている。この形式の室外機２３は、コンプレッサー２がＯＦＦのときは、電磁開閉器２２もＯＦＦであり、電磁開閉器２２より反電源側には電力が供給されない。給水装置１１の電源を電磁開閉器２２とコンプレッサー２の間から配線２５を介して取るようにすれば、コンプレッサー２がＯＦＦのときは、給水装置１１にも電力が供給されず、給水装置１１による給水が行われないこととなる。このため、図１４で示したセンサ１４は、本例では必要がない。それ以外の構成は図１４に示す例と同様である。なお、電磁開閉器２２とコンプレッサー２の間の通電を検知してコンプレッサー２がＯＦＦのとき給水装置１１の給水を行わない構成としてもよい。これにより、コンプレッサー２が作動していないときに補助冷却装置１６ｂを作動させることがない。
【０００７】
図１６は、室外機２４を所謂リモートコンデンサー式とした冷凍サイクルの例であり、図１４に示す冷凍サイクルが備える構成要素と同等の要素には同じ符号を付している。冷凍サイクル９は、コンプレッサー２、エバポレーター４、エクスパンションバルブ６、コンデンサー７を冷媒管で接続して構成されている。点線でかこまれた２４の部分が室外機に構成される要素であり、コンデンサー７、ファン８を有している。本例における冷凍サイクル９においては、コンプレッサー２が室外機２４の外に配置されていて、電源１と接続されており、ファン８は別の電源２６と接続されている。ここで、電源２６からファン８への電力は、コンプレッサー２が稼働中に供給されるようになっている。
【０００８】
補助冷却装置１６ｃは、給水装置１１、フィルター１２、支持枠１３で構成されている。給水装置１１は、フィルター１２へ給水する装置であり、配線２７を介して電源２６に接続されている。このため、コンプレッサー２がＯＦＦのときは、給水装置１１にも電力が供給されず、給水装置１１による給水が行われないこととなる。なお、電源２６からファン８への通電を検知してコンプレッサー２がＯＦＦのとき給水装置１１の給水を行わない構成としてもよい。
【０００９】
上記従来の補助冷却装置では以下の問題点がある。
図１４に示す例においては、コンプレッサー２がＯＦＦ時でも給水装置１１の給水を開始する場合がある。これは、コンプレッサー２がＯＮかＯＦＦかにかかわらず、センサ１４が設定値以上の圧力又は温度を感知した場合に、給水装置１１の給水を開始するようになっているためである。
また、図１４に示す例においては、コンデンサー７を冷却する必要がない外気温度のときでも給水する場合がある。これは、センサ１４は、高圧配管の温度や圧力から情報を得るため、外気温が低い場合でもセンサ１４が設定値以上の圧力又は温度を感知した場合は給水をしてしまうからである。
そして、図１４乃至図１６に示す例においては、いずれも外気温の高低にかかわらず一定水量を供給するため、水の無駄が多い。
【００１０】
そこで、本出願人は、上記問題を解決するため、冷凍サイクルにおけるコンプレッサーと熱交換器の間の高圧配管の温度を検出するセンサをコンプレッサーの近傍に配置し、当該センサが検出した配管温度の値が設定値以上の場合に給水装置が給水を行うようにし、更にフィルターと室外機の間に温度センサを配置し、この温度センサが検出した外気温度が設定値以上の場合に給水装置が給水を行うようにして、室外機の熱交換器の放熱部に吸い込まれる空気を間接冷却する補助冷却装置のフィルターへの給水制御を適切に行うことを可能にした補助冷却装置を提案している（特願２００８−８７７９３）。
【００１１】
この先に提案された補助冷却装置は、室外機が動いているとき、即ち、配管温度が設定値以上のとき、冷凍サイクルのコンプレッサーがＯＮであるとき又はファンがＯＮであるときであって、且つ外気温が一定以上の温度であるときに、フィルターへの給水を開始する。
【先行技術文献】
【特許文献】
【００１２】
【特許文献１】特開２００７−１９８６１７号公報
【発明の概要】
【発明が解決しようとする課題】
【００１３】
この提案によれば、給水信号がＯＮになったときの給水装置によるフィルターへの給水開始タイミングが改善される。しかしながら、フィルターへの水の供給が十分であるにも関わらず給水が停止されないと、所定のタイミングで給水を停止するまで給水過剰状態となり、この間、給水された水の一部がマットの下から滴り落ちて無駄水となってしまうことが避けられない。
【００１４】
また、給水停止後、再度給水信号がＯＮになったときに給水装置によるフィルターへの給水が開始されるが、給水開始が遅れた場合には、給水が再開されるまでフィルターへの給水不足状態が発生するおそれがある。即ち、給水装置によるフィルターへの必要給水量は、通常、ある一定の風速を基準に設定されているが、実際には、必要給水量は室外機の能力（能力に応じて細かい設定が困難な場合がある）や室外機の設置場所にも依存するものである。例えば設置場所についてみると、本補助冷却装置は気化加湿の原理に基づく冷却なので、風速によって蒸発水量が変化するが、風速は設置場所によって変化するため、設置場所に応じて蒸発水量、すなわち必要給水量が変化することになる。風速が設定風速よりも速いとマットは乾き気味となりフィルターは給水不足状態になりやすくなり、風速が設定風速よりも低速であると給水は余剰気味になる。いずれの場合も、室外機における負荷への対応が十分でなくなるおそれがある。
【００１５】
本発明の目的は、給水装置によるフィルターへの給水の開始と停止を適切に制御することにより、フィルターへの給水を過不足なく行わせて、給水不足と無駄水とを回避することを可能にする補助冷却装置を提供することである。
【課題を解決するための手段】
【００１６】
上記目的を達成するため、本発明による補助冷却装置は、冷凍サイクルの室外機の熱交換器の放熱部に対向して配置される通風性を有するフィルターと、該フィルターに水を供給する給水装置とを備え、前記放熱部に吸い込まれる空気が前記フィルターを通過する際に前記フィルターに供給された水により冷却されるようにした補助冷却装置であって、前記フィルターの保水状態を検出し、その保水状態に応じて前記給水装置による給水を制御することを特徴としている。
【００１７】
本発明による補助冷却装置によれば、フィルターの保水状態を検出し、その保水状態に応じて給水装置による給水を制御するので、過不足のない給水制御を行うことができる。
【００１８】
より具体的には、本発明は、前記フィルターを通過する空気の当該通過前後の温度差に基づいて、前記フィルターの保水状態を検出することができる。温度差が設定値以上であることで給水過剰状態を検知することができ、温度差が設定値未満であることで給水不足状態を検知することができる。そして、前記フィルター前後の前記温度差が設定値以上である場合に前記給水装置の給水を停止させ、前記温度差が前記設定値未満である場合に前記給水装置の給水を開始することができる。
【００１９】
また、本発明は、前記冷凍サイクルにおけるコンプレッサーと前記熱交換器の間の高圧配管の温度を検出するセンサを備え、該センサが、前記コンプレッサーの近傍に配置されているとともに、その検出値が設定値以上の場合には、前記保水状態が十分でないことを条件に前記給水装置が給水を行い、当該検出値が前記設定値未満の場合には、前記保水状態に関わらず前記給水装置が給水を停止させるようにすることができる。
また、本発明は、前記コンプレッサーが電磁開閉器を介して電源に接続されており、前記電磁開閉器と前記コンプレッサーの間の通電を検知した場合には、前記保水状態が十分でないことを条件に前記給水装置が給水を行い、前記電磁開閉器と前記コンプレッサーの間の前記通電を検知しない場合には、前記保水状態に関わらず前記給水装置が給水を停止させるようにすることができる。
また、本発明は、前記冷凍サイクルのコンプレッサーが室外機の外に配置され、前記放熱部に通風するためのファンは前記コンプレッサーとは別の電源に接続されており、前記ファンへの通電を検知した場合には、前記保水状態が十分でないことを条件に前記給水装置が給水を行い、前記ファンへの通電を検知しない場合には、前記保水状態に関わらず前記給水装置が給水を停止させるようにすることができる。
【００２０】
更に、本発明は、前記フィルターの空気入口手前の空気温度を検出する温度センサを備え、該温度センサの検出値が設定値以上である場合には前記給水装置が給水を行い、前記温度センサの検出値が前記設定値未満である場合には他の条件に関わらず前記給水装置が給水を停止させるようにすることができる。
この場合、前記温度センサは、前記フィルターと前記室外機の間に配置することができる。更に、前記給水装置による給水量を前記温度センサの検出値に応じて変化させることができる。
【発明の効果】
【００２１】
本発明の補助冷却装置によれば、フィルターの保水状態に応じて給水装置によるフィルターへの給水を制御する。フィルターの保水状態が良好な場合にはフィルターへの給水を行わず、保水状態が低下した場合にフィルターへの給水を行うことで、フィルターへの給水が過不足なく行われ、フィルターにおける給水不足と無駄水の発生とを回避することをできる。フィルターを通過する空気の前後の温度を検出し、その温度差を設定値と比較することで保水状態が簡素に判定でき、簡単な構成で室外機の運転中におけるフィルターの保水状態を常に良好に維持することができる。
【図面の簡単な説明】
【００２２】
【図１】図１は、本発明の実施例１による補助冷却装置を付設した冷凍サイクルの概略図である。
【図２】図２は、実施例１における温度センサの取付方法を示す斜視図である。
【図３】図３は、実施例１における給水装置の給水開始のタイミングを示すフローチャートである。
【図４】図４は、実施例１における給水装置の給水停止のタイミングを示すフローチャートである。
【図５】図５は、本発明の実施例２による補助冷却装置を付設した冷凍サイクルの概略図である。
【図６】図６は、実施例２における給水装置の給水開始のタイミングを示すフローチャートである。
【図７】図７は、実施例２における給水装置の給水停止のタイミングを示すフローチャートである。
【図８】図８は、本発明の実施例３による補助冷却装置を付設した冷凍サイクルの概略図である。
【図９】図９は、実施例３における給水装置の給水開始のタイミングを示すフローチャートである。
【図１０】図１０は、実施例３における給水装置の給水停止のタイミングを示すフローチャートである。
【図１１】本発明の補助冷却装置における散水制御の説明図である。
【図１２】図１２は、フィルターのマットの濡れ具合の変遷を、従来の補助冷却装置と本発明による補助冷却装置とで比較した説明図である。
【図１３】図１３は、従来の補助冷却装置と本発明による補助冷却装置において行われる給水制御を比較して説明するグラフである。
【図１４】図１４は、補助冷却装置が付設された冷凍サイクルの従来例を示す概略図である。
【図１５】図１５は、補助冷却装置が付設され、コンプレッサーのための電磁開閉器を備えた冷凍サイクルの従来例を示す概略図である。
【図１６】図１６は、補助冷却装置が付設され、室外機を所謂リモートコンデンサー式とした冷凍サイクルの従来例を示す概略図である。
【発明を実施するための形態】
【００２３】
以下、図面を参照して、この発明による補助冷却装置の実施例を説明する。
【実施例１】
【００２４】
図１は、本発明の実施例１による補助冷却装置を付設した冷凍サイクルの概略図である。冷凍サイクル９は、コンプレッサー２、エバポレーター４、エクスパンションバルブ６、コンデンサー７を冷媒管で接続して構成されている。点線で囲まれた１０の部分が室外機であり、コンプレッサー２、制御回路３、ファン８、コンデンサー７を有している。コンプレッサー２は、制御回路３を介して電源１と接続されている。そして、制御回路３とファン８は配線で接続されている。
【００２５】
補助冷却装置１６は、給水装置１１、フィルター１２、支持枠１３、高圧配管１９の温度を検出する高圧温度センサ２０、温度センサ２１，４１等で構成されている。給水装置１１は、フィルター１２へ給水する装置であり、電源１に配線接続されている。高圧温度センサ２０と温度センサ２１，４１は、給水装置１１の制御部と配線で接続されている。  図１１は、本発明による補助冷却装置の給水制御の説明図である。フィルター１２の上方には、補助冷却装置１６に備わる散水器１１ａが配置されており、散水器１１ａからの散水がフィルター１２のマット１２ａの上端部から散水される。この水はマット１２ａの繊維を伝って次第に下方に流れ、マット１２ａを空気が通過する際に気化して空気から気化熱を奪う気化加湿の原理によって、空気を冷却する。温度センサ２１は、フィルター１２を通過する前の空気の温度、即ち、外気温を検出する。温度センサ４１は、フィルター１２を通過した後の空気の温度を検出する。
【００２６】
図１の補助冷却装置の構成について、図１４と異なる点は、まず、温度センサ２１，４１を有している点である。温度センサ２１は、フィルター１２の前方の空気の温度を検出する。これにより、外気温を適切に検知して外気温に応じた給水制御を行うための温度情報を給水装置１１に提供する。温度センサ４１はフィルター１２の後方に配置されていて、フィルター１２を通過した後の空気の温度を検出する。温度センサ２１，４１の検出値の差を取ることによって、室外機１０に吸い込まれる空気がフィルター１２を通過する際の温度変化を検出することができる。フィルター１２の保水状態が十分であれば、空気がフィルター１２を通過する際に気化熱を奪われて温度が下がるので、大きな温度差となる。また、フィルター１２の保水状態が十分でなく、乾いた状態にあれば、空気がフィルター１２を通過する際に気化熱が十分奪われず、温度の低下が少なく、小さな温度差となる。
【００２７】
次に本実施例が従来例と異なる点として、高圧配管のセンサについて、図１４のセンサ１４は温度又は圧力を検出するのに対し、本実施例１では温度式の高圧温度センサ２０とするとともにコンプレッサー２近傍に設置し、制御回路１３が給水装置１１の駆動を開始する設定温度を従来よりも高く設定した。これによりコンプレッサー２がＯＦＦ時に給水装置１１が給水を開始するのをより確実に防止することができる。この設定値の具体例を以下に示す。
冷媒        従来        本発明
Ｒ２２      ５５℃  →  ６０℃
Ｒ５０２    ５０℃  →  ５５℃
Ｒ４１０Ａ  ６０℃  →  ６５℃
Ｒ４０７Ｃ  ５５℃  →  ６０℃
Ｒ４０４Ａ  ５０℃  →  ５５℃
Ｒ５０７Ａ  ４５℃  →  ５０℃
上記の例では、従来の設定値よりも各冷媒において５℃上げており、これらの最低値は５０℃である。これは、コンプレッサー２が稼動していないときは、給水装置１１の給水を開始することがないような設定値となっている。
【００２８】
図２は、温度センサ２１の取付方法を示す斜視図である。室外機１０の両側には、フィルター１２や支持枠１３等を有する補助冷却装置１６が配設されている。支持枠１３はフィルター１２を保持している。ここで、室外機１０と補助冷却装置１６の間にはスペーサー３１を介することで隙間を設けている。これにより、室外機１０の外からフィルター１２を通過してコンデンサー７へ流入する空気と、室外機１０と補助冷却装置１６の隙間からコンデンサー７へ流入する空気が存在することになる。
【００２９】
スペーサー３１は、室外機１０と支持枠１３の間に設置されており、温度センサ２１をスペーサー３１の下部に配置する。これにより、温度センサ２１は日陰部分になり、直射日光の影響を受けなくなる。また、室外機１０と支持枠１３の間の空気は、フィルター１２を通過しないため、正確な外気温の測定に適している。
【００３０】
温度センサ２１の固定方法は、スペーサー３１の下方部分で支持枠１３に取付けたクリップ３３により固定する。クリップ３３に温度センサ２１の本体を固定することで簡単に取り付けることができる。必要に応じてスペーサー３１の既存穴にバンド３２等により配線３４等を固定する。これらにより、温度センサ２１の取替え等のメンテナンスも容易に行える。
【００３１】
図３は、実施例１における給水装置の給水開始のタイミングを示すフローチャートである。給水装置１１は、マイクロコンピュータからなる制御部を有しており、当該制御部により図３に示す処理が行われる。まず、高圧温度センサ２０からの情報により配管温度が設定値以上であるかを判定し（Ｓ１０１）、設定値以上でない場合はＳ１０１の前へ戻る。そして、設定値以上である場合は、温度センサ２１からの情報により外気温が設定値以上かを判定する（Ｓ１０２）。設定値以上でない場合はＳ１０１の前へ戻り、設定値以上である場合は、フィルター１２のマット１２ａの空気入口と空気出口との温度差、即ち、温度センサ２１，４１が検出した温度の差が設定値以下であるか否かを判定する（Ｓ１０３）。この温度差が設定値以下でなければＳ１０１の前へ戻る。即ち、温度差が設定値を超えている場合は、フィルター１２の保水状態が十分であって、水が気化することで空気が十分に冷却されていることであり、給水の必要が無いので、給水を開始しない。温度差が設定値以下である場合には、フィルター１２の保水状態が十分でなく、空気が十分に冷却されていないことであるので、給水装置１１による給水を開始する。これにより、コンプレッサー２がＯＮのときにのみ、外気温及び温度差に応じた給水量の制御が可能となる。
【００３２】
図４は、実施例１における給水装置の給水停止のタイミングを示すフローチャートである。給水装置１１の制御部により図４に示す給水停止処理が行われる。まず、高圧温度センサ２０からの情報により配管温度が設定値以下であるかを判定し（Ｓ４０１）、設定値以下である場合には給水停止の処理を行う。設定値以下でない場合は、温度センサ２１からの情報により外気温が設定値以下かを判定する（Ｓ４０２）。設定値以下である場合には給水停止の処理を行う。設定値以下でない場合は、フィルター１２のマット１２ａの空気入口と空気出口との温度差が設定値以上であるか否かを判定する（Ｓ４０３）。この温度差が設定値以上でなければＳ４０１の前へ戻る。即ち、温度差が設定値より小さい場合は保水状態が十分でないことになり、給水の必要が有るので、給水停止は行われない。温度差が設定値以上である場合には、保水状態が十分であるので、給水装置１１による給水停止とする。これにより、コンプレッサー２がＯＦＦ、外気温が低い、保水状態が十分である、という３つの条件のいずれかが満たされるときに給水が停止され、無駄水を無くすことができる。
【実施例２】
【００３３】
図５は本発明の実施例２による補助冷却装置を付設した冷凍サイクルの概略図であり、図６及び図７は、それぞれ、実施例２における給水装置の給水開始と給水停止のタイミングを示すフローチャートである。
図５に示す冷凍サイクルは、図１５に示す電磁開閉器２２を備える例に対応した本発明の実施例２を示しており、冷凍サイクルそれ自体の再度の説明は省略する。なお、本実施例及び以下の各実施例において、実施例１と対応する部分には同一の符号を付してあり、重複する説明は省略する。図６及び図７に示す給水装置１１の給水開始と給水停止のタイミングの制御についても、Ｓ２０１においてコンプレッサー２の作動がＯＮか否かを判定し、Ｓ５０１においてコンプレッサー２の作動がＯＦＦか否かを判定する以外、図３及び図４に示す給水装置の給水開始と給水停止のタイミング制御と同等である。特に、温度センサ２１，４１の温度差に基づく給水の開始（ＡＮＤ条件で開始）と停止（ＯＲ条件で停止）の制御については制御内容が同じであるので、再度の説明を省略する。
【実施例３】
【００３４】
図８は本発明の実施例３による補助冷却装置を付設した冷凍サイクルの概略図であり、図９及び図１０は、それぞれ、実施例３における給水装置の給水開始と給水停止のタイミングを示すフローチャートである。
図８に示す冷凍サイクルは、図１６に示すリモートコンデンサー式の室外機２４を備える例に対応した本発明の実施例３を示しており、冷凍サイクルそれ自体の再度の説明は省略する。この例においても、補助冷却装置１６は、フィルター１２の前後の空気温度を検出する温度センサ２１，４１を備えており、当該空気の温度差を検出するようになっている。図９及び図１０に示す給水装置１１の給水開始と給水停止のタイミングの制御についても、Ｓ３０１において配線２７の通電によりファン８がＯＮか否かを判定し、Ｓ６０１において配線２７を介しての通電が遮断されることによりファン８がＯＦＦか否かを判定する以外、図３及び図４に示す給水装置の給水開始と給水停止のタイミング制御と同等である。特に、上記温度差に基づく給水の開始（ＡＮＤ条件で開始）と停止（ＯＲ条件で停止）の制御については制御内容が同じであるので、再度の説明を省略する。
【００３５】
図１２は、図１１に示すフィルター１２のマット１２ａの濡れ具合の変遷を、従来の補助冷却装置と本発明による補助冷却装置とで比較した説明図である。また、図１３は、従来の補助冷却装置と本発明による補助冷却装置において行われる給水制御を比較して説明するグラフであり、両補助冷却装置における給水信号の変化の一例と、マット入口−出口温度差の変化の一例を示している。
図１２及び図１３に示すように、冷凍サイクルの運転状態と外気温度との情報に基づいて、給水信号がＯＮとなったときに、給水が開始され、所定時間の間に渡って給水が継続され、その後、給水が停止される。従来は、図１３の温度差のグラフに示されているように、ほぼ一定の温度差をキープしている。この場合、散水器１１ａから散水される水がフィルター１２の下端から滴下し、無駄水となる状況が生じることがある。
【００３６】
本発明においては、散水器１１ａから散水が開始される最初のＯＮまでは、従来と同じであるが、温度センサ２１，４１の検出値から求められる温度差を設定値と比較して、温度差がこの設定値を超えている間は、フィルター１２のマット１２ａは十分に濡れて良好な保水状態にあると判断して給水を停止する制御を行っている。即ち、マット１２ａの空気入口と空気出口の間で所定以上の（設定値を超える）温度差があったときには、水はマット１２ａに既に充分供給されており、気化する際に吸い込み空気から十分に気化熱を奪うために空気の温度が下がっていると判断し、水の供給を継続する必要はないとして、給水を停止し、無駄水を防ぐ制御が行われる。マット１２ａの保水状態が低下し（給水不足）、マット１２ａが乾燥してくると温度差が小さくなる（例えば、温度差が１０度から４度にまで縮小）ので、再度、給水を再開する。次に給水がＯＮとなるタイミングＴ２は、従来のタイミング（Ｔ２’）と比べて充分遅れたタイミングとなるので、給水期間全体における総給水量を減らすことができる。このように、マット１２ａの空気入口と空気出口における空気温度の差は、マット１２ａへの給水量が足りているか余剰になっていないかを監視する手段となっており、当該温度差に基づいて給水制御を行うことによって、フィルター１２への給水量が必要最小限で済み、無駄水の発生と水不足を回避することができる。
【００３７】
本発明によれば、マットの空気入口と空気出口の温度を検出する二つの温度センサを用いることにより、設置時に室外機の冷凍能力に応じて詳細な設定を行う必要がなく、設置場所（風速）に応じた詳細な設定も必要なく、補助冷却装置に対する適切な給水調整を自動的に行うことができる。
【符号の説明】
【００３８】
１    電源
２    コンプレッサー
４    エバポレーター
７    コンデンサー
８    ファン
９    冷凍サイクル
１０、２３、２４  室外機
１１  給水装置                  １１ａ  散水器
１２  フィルター                １２ａ  マット
１３  支持枠
１５〜１７  補助冷却装置
２０  高圧温度センサ
２１  温度センサ
２２  電磁開閉器
２６  電源
３１  スペーサー
３３  クリップ
４１  温度センサ
【図１】
2010236844.tif 000003
【図２】
2010236844.tif 000004
【図３】
2010236844.tif 000005
【図４】
2010236844.tif 000006
【図５】
2010236844.tif 000007
【図６】
2010236844.tif 000008
【図７】
2010236844.tif 000009
【図８】
2010236844.tif 000010
【図９】
2010236844.tif 000011
【図１０】
2010236844.tif 000012
【図１１】
2010236844.tif 000013
【図１２】
2010236844.tif 000014
【図１３】
2010236844.tif 000015
【図１４】
2010236844.tif 000016
【図１５】
2010236844.tif 000017
【図１６】
2010236844.tif 000018